Podtech/llm-jp-corpus-v4-ja_patent huggingface dataset:
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
遊技が可能な遊技機であって、  
遊技者の動作を検出可能な検出手段と、  
遊技者に対して動作を促す促進演出を実行する促進演出実行手段と、
前記検出手段によって遊技者による複数回の動作を行う所定動作が検出されたことに基づいて特定演出を実行可能な特定演出実行手段と、  
を備え、  
前記検出手段は、第１検出手段と、該第１検出手段とは異なる第２検出手段と、を含み、  
前記特定演出実行手段は、  
遊技者による前記所定動作とは異なる特定動作に基づいて前記所定動作が実行されたと見做して前記特定演出を実行可能であり、  
前記第１検出手段で前記特定動作が検出されたときと前記第２検出手段で前記特定動作が検出されたときとで、同じはやさで前記特定演出を実行可能である  
ことを特徴とする遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、  
遊技が可能な遊技機（例えば、パチンコ遊技機１）であって、  
遊技者の動作を検出可能な検出手段と、  
遊技者に対して動作を促す促進演出を実行する促進演出実行手段と、
前記検出手段によって遊技者による複数回の動作を行う所定動作（例えば、連打）が検出されたことに基づいて特定演出（例えば、連打対応メータの表示態様を最終態様に向けて更新する部分）を実行可能な特定演出実行手段（例えば、演出制御用ＣＰＵ１２０が予告演出処理や頬内演出処理を実行する部分）と、  
を備え、  
前記検出手段は、第１検出手段（例えば、第１プッシュボタン３１Ｂ）と、該第１検出手段とは異なる第２検出手段（例えば、第２プッシュボタン３２）と、を含み、  
前記特定演出実行手段は、  
遊技者による前記所定動作とは異なる特定動作（例えば、長押し）に基づいて前記所定動作が実行されたと見做して前記特定演出を実行可能であり（例えば、演出制御用ＣＰＵ１２０が予告演出処理や大当り遊技中処理を実行してオート連打によって連打対応メータの表示態様を最終態様に向けて更新する部分）、  
前記第１検出手段で前記特定動作が検出されたときと前記第２検出手段で前記特定動作が検出されたときとで、同じはやさで前記特定演出を実行可能である（例えば、図１９（Ｂ）に示すように、遊技者が第１プッシュボタン３１Ｂを長押しした場合と第２プッシュボタン３２を長押しした場合とでは、どちらも長押し判定期間が同一の０．２秒であるので、同じ速さで連打対応メータの表示態様を最終態様に向けて更新可能な部分）  
ことを特徴としている。  
この特徴によれば演出効果を高めることができる。
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
遊技が可能な遊技機であって、  
遊技者の動作を検出可能な検出手段と、  
前記検出手段によって遊技者による複数回の動作を行う所定動作が検出されたことに基づいて特定演出を実行可能な特定演出実行手段と、  
前記検出手段への動作を促進する促進演出を実行する促進演出実行手段と、
を備え、  
前記検出手段は、第１検出手段と、該第１検出手段とは異なる第２検出手段と、を含み、  
前記特定演出実行手段は、  
遊技者による前記所定動作とは異なる特定動作が検出された場合にも前記特定演出を実行可能であり、  
前記第１検出手段と前記第２検出手段との双方で前記所定動作が検出された場合は、前記第１検出手段と前記第２検出手段とのいずれか一方のみで前記所定動作が検出された場合よりもはやく前記特定演出を実行可能であり、  
前記第１検出手段と前記第２検出手段との双方で前記特定動作が検出された場合は、前記第１検出手段と前記第２検出手段のいずれか一方のみで前記特定動作が検出された場合と同じはやさで前記特定演出を実行可能である  
ことを特徴とする遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、  
遊技が可能な遊技機（例えば、パチンコ遊技機１）であって、  
遊技者の動作を検出可能な検出手段と、  
前記検出手段によって遊技者による複数回の動作を行う所定動作（例えば、連打）が検出されたことに基づいて特定演出（例えば、連打対応メータの表示態様を最終態様に向けて更新する部分）を実行可能な特定演出実行手段（例えば、演出制御用ＣＰＵ１２０が予告演出処理や頬内演出処理を実行する部分）と、  
前記検出手段への動作を促進する促進演出を実行する促進演出実行手段と、
を備え、  
前記検出手段は、第１検出手段（例えば、第１プッシュボタン３１Ｂ）と、該第１検出手段とは異なる第２検出手段（例えば、第２プッシュボタン３２）と、を含み、  
前記特定演出実行手段は、  
遊技者による前記所定動作とは異なる特定動作（例えば、長押し）が検出された場合にも前記特定演出を実行可能であり（例えば、演出制御用ＣＰＵ１２０が予告演出処理や大当り遊技中処理を実行してオート連打によって連打対応メータの表示態様を最終態様に向けて更新する部分）、  
前記第１検出手段と前記第２検出手段との双方で前記所定動作が検出された場合は、前記第１検出手段と前記第２検出手段とのいずれか一方のみで前記所定動作が検出された場合よりもはやく前記特定演出を実行可能であり（例えば、演出制御用ＣＰＵ１２０が予告演出処理のＳ３６１で第１プッシュボタン３１Ｂの操作有りと判定した場合とＳ３６８で第２プッシュボタン３２の操作有りと判定した場合とで連打回数カウンタの値を＋１する部分や、大当り遊技中処理のＳ４４１で第１プッシュボタン３１Ｂの操作有りと判定した場合とＳ４４８で第２プッシュボタン３２の操作有りと判定した場合とで連打回数カウンタの値を＋１する部分）、  
前記第１検出手段と前記第２検出手段との双方で前記特定動作が検出された場合（例えば、演出制御用ＣＰＵ１２０が予告演出処理のＳ３７３や大当り中処理のＳ４５３で第１プッシュボタン長押し判定中フラグと第２プッシュボタン長押し判定中フラグとがセットされていると判定した場合）は、前記第１検出手段と前記第２検出手段のいずれか一方のみで前記特定動作が検出された場合と同じはやさで前記特定演出を実行可能である（例えば、演出制御用ＣＰＵ１２０が予告演出処理のＳ３７３や大当り遊技中処理のＳ４５３において第１プッシュボタン長押し判定中フラグ及び第２プッシュボタン長押し判定中フラグがセットされていると判定した場合と、予告演出処理のＳ３７４や大当り遊技中処理のＳ４５４において第１プッシュボタン長押し判定中フラグがセットされていると判定した場合、予告演出処理のＳ３７５や大当り遊技中処理のＳ４５５において第２プッシュボタン長押し判定中フラグがセットされていると判定した場合に、それぞれオート連打回数カウンタの値を＋１する部分）  
ことを特徴としている。  
この特徴によれば、演出効果を高めることができる。
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
演出受付が許容される受付演出を発生させる受付演出実行手段と、
前記受付演出において演出受付がなされると、該演出受付に応じた受付後演出を実行する受付後演出実行手段と
を備え、
前記受付演出には、少なくとも第１受付演出及び第２受付演出が含まれており、
前記第１受付演出での演出受付が許容される状態が発生するのに先立って、該第１受付演出に対応する受付前演出として第１の受付前演出表示が実行可能とされ、
前記第２受付演出での演出受付が許容される状態が発生するのに先立って、該第２受付演出に対応する受付前演出として第２の受付前演出表示が実行可能とされ、
前記第２の受付前演出表示は、前記第１の受付前演出表示よりも長い時間にわたって実行可能とされる
ことを特徴とする遊技機。
【手続補正２】
【補正対象書類名】明細書
【補正対象項目名】０００６
【補正方法】変更
【補正の内容】
【０００６】
しかしながら、上記従来の遊技機では、遊技興趣の低下が懸念される。
【手続補正３】
【補正対象書類名】明細書
【補正対象項目名】０００８
【補正方法】変更
【補正の内容】
【０００８】
手段１：判定を行う判定手段と、
前記判定手段による判定にて所定の結果が得られたことに基づいて遊技者に特典を付与しうる特典付与手段と、
演出受付が許容される受付演出を発生させる受付演出実行手段と、
前記受付演出において演出受付がなされると、該演出受付に応じた受付後演出を実行する受付後演出実行手段と
を備え、
前記受付演出には、少なくとも第１受付演出及び第２受付演出が含まれており、
前記第１受付演出での演出受付が許容される状態が発生するのに先立って、該第１受付演出に対応する受付前演出として第１の受付前演出表示が実行可能とされ、
前記第２受付演出での演出受付が許容される状態が発生するのに先立って、該第２受付演出に対応する受付前演出として第２の受付前演出表示が実行可能とされ、
前記第２の受付前演出表示は、前記第１の受付前演出表示よりも長い時間にわたって実行可能とされる
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、  
主制御手段と、
演出制御を行う制御手段が設けられた第１基板と、  
演出制御に関連する演出情報を記憶する記憶手段が設けられた第２基板とを備え、  
前記記憶手段には、あらかじめ認証情報が記憶され、  
前記制御手段は、  
前記主制御手段から情報を受信した後に前記記憶手段に記憶されている前記認証情報にもとづいて認証処理を実行可能であり、  
前記認証処理にて認証成功となったことにもとづいて、演出制御を実行可能である  
ことを特徴とする遊技機。
【手続補正２】
【補正対象書類名】明細書
【補正対象項目名】００１０
【補正方法】変更
【補正の内容】
【００１０】
（手段１）本発明による遊技機は、遊技を行うことが可能な遊技機であって、主制御手段と、演出制御を行う制御手段（例えば、演出制御用ＣＰＵ１２０）が設けられた第１基板（例えば、演出制御基板１２）と、演出制御に関連する演出情報（例えば、各種画像データ）を記憶する記憶手段（例えば、ＣＧＲＯＭ１４１）が設けられた第２基板（例えば、演出制御用中継基板１６Ａ）とを備え、記憶手段には、あらかじめ認証情報が記憶され（例えば、ＣＧＲＯＭ１４１には、認証データが記憶されている）、制御手段は、主制御手段から情報を受信した後に記憶手段に記憶されている認証情報にもとづいて認証処理を実行可能であり（例えば、演出制御用マイクロコンピュータ１２０Ａは、ステップＳ５０Ｂを実行し、ＣＧＲＯＭ１４１から読み出した認証データとＲＯＭ１３５に記憶されている認証データとを照合して認証処理を行う）、認証処理にて認証成功となったことにもとづいて、演出制御を実行可能である（例えば、演出制御用マイクロコンピュータ１２０Ａは、ステップＳ５０ＣでＹのときにステップＳ５１以降の処理に移行し、認証に成功したことにもとづいて初期演出データ転送処理（Ｓ５１Ｄ）を含む各種演出制御の処理を実行する）ことを特徴とする。そのような構成によれば、制御手段が設けられた基板と記憶手段が設けられた基板との間で適正な接続関係を確保することができる。
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
可変表示を行うことが可能な遊技機であって、  
可変表示に対応する特定表示を表示可能な特定表示手段と、  
前記特定表示が表示されることに伴って所定音を出力可能な所定音出力手段と、  
前記特定表示の表示態様を変化させる変化演出を実行可能な変化演出実行手段と、  
前記変化演出による前記特定表示の変化に伴って特定音を出力可能な特定音出力手段と、
異常を報知する報知手段とを備え、  
前記所定音出力手段が前記所定音を出力するときに、前記特定音の出力を制限し、
異常が報知されているときに、前記所定音と前記特定音の出力を制限することを特徴とする遊技機。
【手続補正２】
【補正対象書類名】明細書
【補正対象項目名】０００６
【補正方法】変更
【補正の内容】
【０００６】
（１）上記目的を達成するため、本発明の一態様による遊技機は、可変表示を行うことが可能な遊技機（例えば、パチンコ遊技機１等）であって、可変表示に対応する特定表示（例えば、第１始動入賞記憶表示エリア５ＨＬ及び第２始動入賞記憶表示エリア５ＨＲに表示される第１保留表示及び第２保留表示等）を表示可能な特定表示手段（例えば、第１始動入賞記憶表示エリア５ＨＬ及び第２始動入賞記憶表示エリア５ＨＲが設けられた画像表示装置５等）と、前記特定表示が表示されることに伴って所定音（例えば、入賞音等）を出力可能な所定音出力手段（例えば、入賞音を出力するスピーカ８等）と、前記特定表示の表示態様を変化させる変化演出（例えば、既に表示されている第１保留表示や第２保留表示が予告態様に変化する保留変化演出等）を実行可能な変化演出実行手段（例えば、演出制御用ＣＰＵ１２０等）と、前記変化演出による前記特定表示の変化に伴って特定音（例えば、保留変化音等）を出力可能な特定音出力手段（例えば、保留変化音を出力するスピーカ８等）と、異常を報知する報知手段とを備え、前記所定音出力手段が前記所定音を出力するときに、前記特定音の出力を制限し（例えば、入賞音を出力するときには、保留変化音の出力を制限する等）、異常が報知されているときに、前記所定音と前記特定音の出力を制限することを特徴とする。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
演出表示手段の表示制御を行う表示制御機能を有する制御手段と、
前記制御手段の温度を監視する温度監視手段とを備え、
前記制御手段の温度に応じて、前記表示制御機能を段階的に制限可能であり、
制限段階に関わらず前記演出表示手段に可変表示に関する情報を表示可能である
ことを特徴とする遊技機。
【手続補正２】
【補正対象書類名】明細書
【補正対象項目名】００１０
【補正方法】変更
【補正の内容】
【００１０】
（手段１）本発明による遊技機は、遊技を行うことが可能な遊技機であって、演出表示手段（例えば、演出表示装置５）の表示制御を行う表示制御機能（例えば、ＶＤＰ機能）を有する制御手段（例えば、演出制御用ＣＰＵ１２０）と、制御手段の温度を監視する温度監視手段（例えば、温度センサ１３６）とを備え、制御手段の温度に応じて、表示制御機能を段階的に制限可能であり（例えば、演出制御用マイクロコンピュータ１２０Ａは、ステップＳ１０１〜Ｓ１１８を実行し、演出制御用ＣＰＵ１２０の温度が６０℃〜７０℃となると第１制限モードに移行し、演出制御用ＣＰＵ１２０の温度が７１℃〜９４℃となると第２制限モードに移行し、演出制御用ＣＰＵ１２０の温度が９５℃以上となると第３制限モードに移行する）、制限段階に関わらず共通に演出表示手段に可変表示に関する情報を表示可能である（例えば、演出制御用マイクロコンピュータ１２０Ａは、図３２（Ｂ），（Ｃ）に示すように、第１制限モードであっても第２制限モードであっても、小図柄の変動表示５Ｓ、保留画像、およびアクティブ画像を共通に表示可能である）ことを特徴とする。そのような構成によれば、表示制御機能を有する制御手段のより適切な熱対策を実現することができる。
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
操作機会が付与される操作受付演出を実行するとともに、該操作受付演出で演出受付されると操作後演出を実行可能な操作後演出実行手段と
を備え、
前記操作受付演出には、第１操作受付演出及び第２操作受付演出が含まれており、
前記第１操作受付演出では、
チャンネルに割り当てられている特定の演出音データが非抑制態様で通常通り可聴出力されているなかで操作機会が付与されるようになっており、
前記第２操作受付演出では、
チャンネルに割り当てられている特定の演出音データが抑制態様で可聴出力されるか、または非可聴状態にされているなかで操作機会が付与されるようになっており、
前記第１操作受付演出と前記第２操作受付演出とのいずれにおいても、その実行に際しては、演出受付が許容される状態になったこと、または演出受付が許容される状態になることを示唆する受付許容音の音データがチャンネルに割り当てられて非抑制態様で可聴出力されうるようになっており、
前記第１操作受付演出と前記第２操作受付演出とでは、前記操作後演出として異なる演出が実行されうるようになっており、
さらに、
前記第１操作受付演出及び前記第２操作受付演出は、１つの変動パターン内でそれぞれ実行可能とされる
ことを特徴とする遊技機。
【手続補正２】
【補正対象書類名】明細書
【補正対象項目名】０００６
【補正方法】変更
【補正の内容】
【０００６】
しかしながら、このような遊技機では、遊技興趣が低下することが懸念される。
【手続補正３】
【補正対象書類名】明細書
【補正対象項目名】０００８
【補正方法】変更
【補正の内容】
【０００８】
手段１：判定を行う判定手段と、
前記判定手段による判定にて所定の結果が得られたことに基づいて遊技者に特典を付与しうる特典付与手段と、
操作機会が付与される操作受付演出を実行するとともに、該操作受付演出で演出受付されると操作後演出を実行可能な操作後演出実行手段と
を備え、
前記操作受付演出には、第１操作受付演出及び第２操作受付演出が含まれており、
前記第１操作受付演出では、
チャンネルに割り当てられている特定の演出音データが非抑制態様で通常通り可聴出力されているなかで操作機会が付与されるようになっており、
前記第２操作受付演出では、
チャンネルに割り当てられている特定の演出音データが抑制態様で可聴出力されるか、または非可聴状態にされているなかで操作機会が付与されるようになっており、
前記第１操作受付演出と前記第２操作受付演出とのいずれにおいても、その実行に際しては、演出受付が許容される状態になったこと、または演出受付が許容される状態になることを示唆する受付許容音の音データがチャンネルに割り当てられて非抑制態様で可聴出力されうるようになっており、
前記第１操作受付演出と前記第２操作受付演出とでは、前記操作後演出として異なる演出が実行されうるようになっており、
さらに、
前記第１操作受付演出及び前記第２操作受付演出は、１つの変動パターン内でそれぞれ実行可能とされる
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
原稿を主走査方向に読み取ることで、前記原稿の前記主走査方向に並ぶ複数の読取範囲に対応する複数の部分画像データをそれぞれ出力する複数のセンサーチップと、
前記複数の読取範囲に対応する前記複数の部分画像データの内の隣り合う部分画像データの重複領域の画像データに基づいて、隣り合う前記部分画像データの前記主走査方向の画像結合位置の候補である結合候補位置を算出する結合候補位置算出部と、
前記複数の部分画像データにおける画素毎のエッジ強度に基づいて、前記結合候補位置の信頼度情報を生成する画像解析部と、
前記信頼度情報に基づいて、前記結合候補位置又は予め決められた設定位置のいずれかを選択して結合位置情報として出力する結合位置決定部と、
前記結合位置情報に従って隣り合う前記部分画像データを前記主走査方向に結合して結合画像データを生成する画像結合部と
を備えることを特徴とする画像読取装置。
【請求項２】
前記画像解析部は、前記複数の部分画像データの各々において決められた解析対象領域における画素毎のエッジ強度と、前記エッジ強度の出現個数とに基づいて、前記信頼度情報を生成することを特徴とする請求項１に記載の画像読取装置。
【請求項３】
前記画像解析部は、
前記複数の部分画像データ毎に、前記解析対象領域における前記画素毎のエッジ強度の代表値を求め、
前記代表値と予め決められた閾値との比較の結果に基づいて、前記結合候補位置の前記信頼度情報を生成する
ことを特徴とする請求項２に記載の画像読取装置。
【請求項４】
前記画像解析部は、
前記複数の部分画像データ毎に、前記解析対象領域における前記画素毎のエッジ強度の代表値を求め、前記代表値と予め決められた閾値との比較の結果を求め、
前記複数の部分画像データ毎に、前記解析対象領域における相関値を求め、
前記比較の結果と前記相関値に基づいて、前記結合候補位置の前記信頼度情報を生成する
ことを特徴とする請求項２に記載の画像読取装置。
【請求項５】
前記画像解析部は、
前記解析対象領域における画素毎のエッジ強度の出現個数を求め、
前記出現個数が予め決められた個数範囲内に存在する前記エッジ強度の出現個数を、前記エッジ強度が弱い側から計数することによって累積値を求め、
前記累積値が予め決められた累積値用閾値を超えたときのエッジ強度を、エッジ強度の最大値とし、
前記最大値と前記累積値とに基づいて、前記相関値を生成する
ことを特徴とする請求項４に記載の画像読取装置。
【請求項６】
前記画像解析部は、
前記信頼度情報を保持する推定結果記憶部をさらに有し、
前記複数の部分画像データにおける画素毎のエッジ強度と、前記推定結果記憶部に保持されている他の前記信頼度情報とに基づいて、前記結合候補位置の前記信頼度情報を生成する
ことを特徴とする請求項１から５のいずれか１項に記載の画像読取装置。
【請求項７】
前記画像解析部は、
前記信頼度情報を保持する推定結果記憶部をさらに有し、
前記複数の部分画像データにおける画素毎のエッジ強度と、前記相関値と、前記信頼度情報を保持されている前記信頼度情報とに基づいて、前記結合候補位置の信頼度情報を生成する
ことを特徴とする請求項４又は５に記載の画像読取装置。
【請求項８】
原稿を主走査方向に読み取ることで、前記原稿の前記主走査方向に並ぶ複数の読取範囲に対応する複数の部分画像データをそれぞれ出力する複数のセンサーチップを有する装置において実施される画像読取方法であって、
前記複数の読取範囲に対応する前記複数の部分画像データの内の隣り合う部分画像データの重複領域の画像データに基づいて、隣り合う前記部分画像データの前記主走査方向の画像結合位置の候補である結合候補位置を算出するステップと、
前記複数の部分画像データにおける画素毎のエッジ強度に基づいて、前記結合候補位置の信頼度情報を生成するステップと、
前記信頼度情報に基づいて、前記結合候補位置又は予め決められた設定位置のいずれかを選択して結合位置情報として出力するステップと、
前記結合位置情報に従って隣り合う前記部分画像データを前記主走査方向に結合して結合画像データを生成するステップと
を有することを特徴とする画像読取方法。
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による操作によって操作受付が許容される特定の受付演出期間を発生可能な特定期間発生手段と、
前記特定の受付演出期間内で遊技者による操作によって操作受付がなされなかった場合、所定タイミングが到来したことを契機として特定応答演出を実行可能な非受付時演出実行手段と、
少なくとも第１演出手段及び第２演出手段が含まれ、演出に供される演出手段と
を備え、
前記特定応答演出は、前記特定の受付演出期間内で遊技者による操作によって操作受付がなされたときには該操作受付を契機として実行されるものであり、
前記非受付時演出実行手段によって前記特定応答演出が実行される場合、該特定応答演出として、前記第１演出手段を用いた応答演出と、該第１演出手段とは異なる前記第２演出手段を用いた応答演出とが並行して実行されうるが、前記第１演出手段を用いた応答演出は、前記第２演出手段を用いた応答演出が未だ実行開始されていない状態で実行開始され、前記第２演出手段を用いた応答演出は、前記第１演出手段を用いた応答演出が実行状態にあるなかでこれに遅れるかたちで実行開始されるようになっており、
前記非受付時演出実行手段によって実行される前記第２演出手段を用いた応答演出は、前記第１演出手段を用いた応答演出が実行開始される時点では、前記所定タイミングの到来または前記操作受付を契機とした演出変化を生じさせないが、その後、前記第１演出手段を用いた応答演出に遅れるかたちで実行開始されると、前記判定手段による判定にて所定の結果が得られている期待度を示唆しうるようになっており、
さらに、
遊技者による操作によって操作受付が許容される受付演出期間として、前記特定の受付演出期間とは異なる特別の受付演出期間が発生可能とされており、
前記特別の受付演出期間では、遊技者による操作によって操作受付がなされたときには該操作受付を契機として前記特定応答演出とは異なる特別応答演出が実行可能とされるが、遊技者による操作が行われず操作受付がなされなかったときには前記特別応答演出が実行されないようになっており、
前記特定の受付演出期間及び前記特別の受付演出期間は、前記判定手段による判定の結果に基づいて１つの図柄変動内でそれぞれ発生可能とされる
ことを特徴とする遊技機。
【手続補正２】
【補正対象書類名】明細書
【補正対象項目名】０００６
【補正方法】変更
【補正の内容】
【０００６】
しかしながら、上記従来の遊技機では、遊技興趣が低下することが懸念される。
【手続補正３】
【補正対象書類名】明細書
【補正対象項目名】０００８
【補正方法】変更
【補正の内容】
【０００８】
手段１：判定を行う判定手段と、
前記判定手段による判定にて所定の結果が得られたことに基づいて遊技者に特典を付与しうる特典付与手段と、
遊技者による操作によって操作受付が許容される特定の受付演出期間を発生可能な特定期間発生手段と、
前記特定の受付演出期間内で遊技者による操作によって操作受付がなされなかった場合、所定タイミングが到来したことを契機として特定応答演出を実行可能な非受付時演出実行手段と、
少なくとも第１演出手段及び第２演出手段が含まれ、演出に供される演出手段と
を備え、
前記特定応答演出は、前記特定の受付演出期間内で遊技者による操作によって操作受付がなされたときには該操作受付を契機として実行されるものであり、
前記非受付時演出実行手段によって前記特定応答演出が実行される場合、該特定応答演出として、前記第１演出手段を用いた応答演出と、該第１演出手段とは異なる前記第２演出手段を用いた応答演出とが並行して実行されうるが、前記第１演出手段を用いた応答演出は、前記第２演出手段を用いた応答演出が未だ実行開始されていない状態で実行開始され、前記第２演出手段を用いた応答演出は、前記第１演出手段を用いた応答演出が実行状態にあるなかでこれに遅れるかたちで実行開始されるようになっており、
前記非受付時演出実行手段によって実行される前記第２演出手段を用いた応答演出は、前記第１演出手段を用いた応答演出が実行開始される時点では、前記所定タイミングの到来または前記操作受付を契機とした演出変化を生じさせないが、その後、前記第１演出手段を用いた応答演出に遅れるかたちで実行開始されると、前記判定手段による判定にて所定の結果が得られている期待度を示唆しうるようになっており、
さらに、
遊技者による操作によって操作受付が許容される受付演出期間として、前記特定の受付演出期間とは異なる特別の受付演出期間が発生可能とされており、
前記特別の受付演出期間では、遊技者による操作によって操作受付がなされたときには該操作受付を契機として前記特定応答演出とは異なる特別応答演出が実行可能とされるが、遊技者による操作が行われず操作受付がなされなかったときには前記特別応答演出が実行されないようになっており、
前記特定の受付演出期間及び前記特別の受付演出期間は、前記判定手段による判定の結果に基づいて１つの図柄変動内でそれぞれ発生可能とされる
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
電動送風機と集塵室と、
前記集塵室に連通する通気路内を通過する塵埃を検知する塵埃検知センサと、
前記電動送風機の回転数を検出する回転数検知センサと、
制御部と、を備え、
前記制御部は、前記塵埃検知センサが塵埃を検知すると、前記電動送風機の入力電力が大きくなるように制御し、前記回転数検知センサで検出された回転数が所定の値以上になると、前記電動送風機の入力電力が小さくなるように制御することを特徴とする電気掃除機。
【請求項２】
前記制御部は、前記塵埃検知センサが検知する塵埃の量に応じて、塵埃の通過度合を算出し、前記通過度合いが一定の値を越えた際に、電動送風機の入力電力を大きくするように制御する請求項１に記載の電気掃除機。
【請求項３】
前記制御部は、前記電動送風機の入力電力が小さい時間が一定期間経過すると前記電動送風機の入力電力を大きくするように制御する請求項１または２に記載の電気掃除機。
【請求項４】
前記制御部は、前記電動送風機の入力電力が大きくなる継続時間を長くするように制御することを特徴とする請求項１〜３のいずれか１項に記載の電気掃除機。
【請求項５】
電動送風機と集塵室と、
前記電動送風機の回転数を検出する回転数検知センサと、
制御部と、前記集塵室内の塵埃の溜まり具合を表示する表示手段と、を有し、
前記制御部は、前記回転数検知センサが検知した前記電動送風機の回転数に応じて、前記表示手段に、前記集塵室における集塵の溜まり具合を段階的に表示するように制御し、前記回転数検知センサで検出された回転数が所定の値以上になると、前記電動送風機の入力電力を小さくするように制御する、電気掃除機。
【手続補正２】
【補正対象書類名】明細書
【補正対象項目名】０００７
【補正方法】変更
【補正の内容】
【０００７】
上記従来の課題を解決するために、本発明の電気掃除機は、電動送風機と集塵室と、集塵室に連通する通気路内を通過する塵埃を検知する塵埃検知センサと、電動送風機の回転数を検出する回転数検知センサと、制御部と、を備え、制御部は、塵埃検知センサが塵埃を検知すると、電動送風機の入力電力が大きくなるように制御し、回転数検知センサで検出された回転数が所定の値以上になると、電動送風機の入力電力が小さくなるように制御するもので、判定が困難な低入力電力の運転時でも、一時的に入力電力を増加するように制御することで、回転数を上昇させ、回転数検知センサで検出された回転数が所定の値以上になったときに入力電力を小さくすることができる。これにより、電動送風機の温度上昇の抑制と集塵室内の塵埃の量を正確に判定することができる。また、本発明の電気掃除機は、電動送風機と集塵室と、電動送風機の回転数を検出する回転数検知センサと、制御部と、集塵室内の塵埃の溜まり具合を表示する表示手段と、を有し、制御部は、回転数検知センサが検知した電動送風機の回転数に応じて、表示手段に、集塵室における集塵の溜まり具合を段階的に表示するように制御し、回転数検知センサで検出された回転数が所定の値以上になると、電動送風機の入力電力を小さくするように制御する。
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定が特別結果であることに基づいて特別の変動パターンを実行可能な特別変動実行手段と、
特定ＢＧＭデータに基づく特定演出音を出力する制御を行う特定演出音制御手段と、
操作機会が付与される受付演出を発生可能な受付演出発生手段と
を備え、
前記特定ＢＧＭデータに基づく特定演出音は、前記特別の変動パターン内において出力可能とされるものであり、
前記受付演出には、
遊技者による操作があった場合、該操作があったことに基づいて特別の操作後演出を発生させ、遊技者による操作が無くても遊技者による操作があったときと同じ特別の操作後演出を発生させる特別の受付演出、及び
遊技者による操作があった場合、該操作があったことに基づいて前記特別の操作後演出とは異なる特定の操作後演出を発生させ、遊技者による操作が無い場合、遊技者による操作があったときと同じ特定の操作後演出を発生させない特定の受付演出
が含まれており、
前記特定ＢＧＭデータに基づく特定演出音は、前記特別の変動パターン内の第１区間では非抑制態様で可聴出力されるが、前記特別の変動パターン内の前記第１区間よりも後の第２区間では抑制態様で可聴出力される状態または可聴出力されない状態にされるようになっており、
前記特定の受付演出は、前記特定ＢＧＭデータに基づく特定演出音が非抑制態様で可聴出力される前記第１区間において発生するものであり、該第１区間よりも後の前記第２区間では、前記特別の受付演出が必ず発生するようになっており、
さらに、
前記受付演出が発生するよりも前に該受付演出が発生することを示唆する前兆演出が実行可能とされており、前記特別の受付演出が発生する場合と前記特定の受付演出が発生する場合とでは、前記前兆演出として異なる態様が実行可能とされており、
さらに、
前記特別の受付演出が発生する場合、遊技者による操作の対象を示唆する摸画像表示を表示可能な摸画像表示手段を備え、
前記特別の受付演出が発生する場合は、前記特定の受付演出が発生する場合には出現し得ない態様で前記摸画像表示が表示可能とされる
ことを特徴とする遊技機。
【請求項２】
判定を行う判定手段と、
前記判定手段による判定が特別結果であることに基づいて特別の変動パターンを実行可能な特別変動実行手段と、
特定ＢＧＭデータに基づく特定演出音を出力する制御を行う特定演出音制御手段と、
操作機会が付与される受付演出を発生可能な受付演出発生手段と
を備え、
前記特定ＢＧＭデータに基づく特定演出音は、前記特別の変動パターン内において出力可能とされるものであり、
前記受付演出には、
遊技者による操作があった場合、該操作があったことに基づいて特別の操作後演出を発生させ、遊技者による操作が無くても遊技者による操作があったときと同じ特別の操作後演出を発生させる特別の受付演出、及び
遊技者による操作があった場合、該操作があったことに基づいて前記特別の操作後演出とは異なる特定の操作後演出を発生させ、遊技者による操作が無い場合、遊技者による操作があったときと同じ特定の操作後演出を発生させない特定の受付演出
が含まれており、
前記特定ＢＧＭデータに基づく特定演出音は、前記特定の変動パターン内の第１区間では非抑制態様で可聴出力されるが、前記特定の変動パターン内の前記第１区間よりも後の第２区間では出力自体が終了されるようになっており、
前記特定の受付演出は、前記特定ＢＧＭデータに基づく特定演出音が非抑制態様で可聴出力される前記第１区間において発生するものであり、該第１区間よりも後の前記第２区間では、前記特別の受付演出が必ず発生するようになっており、
さらに、
前記受付演出が発生するよりも前に該受付演出が発生することを示唆する前兆演出が実行可能とされており、前記特別の受付演出が発生する場合と前記特定の受付演出が発生する場合とでは、前記前兆演出として異なる態様が実行可能とされており、
さらに、
前記特別の受付演出が発生する場合、遊技者による操作の対象を示唆する摸画像表示を表示可能な摸画像表示手段を備え、
前記特別の受付演出が発生する場合は、前記特定の受付演出が発生する場合には出現し得ない態様で前記摸画像表示が表示可能とされる
ことを特徴とする遊技機。
【手続補正２】
【補正対象書類名】明細書
【補正対象項目名】０００６
【補正方法】変更
【補正の内容】
【０００６】
しかしながら、上記従来の遊技機では、遊技興趣が低下することが懸念される。
【手続補正３】
【補正対象書類名】明細書
【補正対象項目名】０００８
【補正方法】変更
【補正の内容】
【０００８】
手段１：判定を行う判定手段と、
前記判定手段による判定が特別結果であることに基づいて特別の変動パターンを実行可能な特別変動実行手段と、
特定ＢＧＭデータに基づく特定演出音を出力する制御を行う特定演出音制御手段と、
操作機会が付与される受付演出を発生可能な受付演出発生手段と
を備え、
前記特定ＢＧＭデータに基づく特定演出音は、前記特別の変動パターン内において出力可能とされるものであり、
前記受付演出には、
遊技者による操作があった場合、該操作があったことに基づいて特別の操作後演出を発生させ、遊技者による操作が無くても遊技者による操作があったときと同じ特別の操作後演出を発生させる特別の受付演出、及び
遊技者による操作があった場合、該操作があったことに基づいて前記特別の操作後演出とは異なる特定の操作後演出を発生させ、遊技者による操作が無い場合、遊技者による操作があったときと同じ特定の操作後演出を発生させない特定の受付演出
が含まれており、
前記特定ＢＧＭデータに基づく特定演出音は、前記特別の変動パターン内の第１区間では非抑制態様で可聴出力されるが、前記特別の変動パターン内の前記第１区間よりも後の第２区間では抑制態様で可聴出力される状態または可聴出力されない状態にされるようになっており、
前記特定の受付演出は、前記特定ＢＧＭデータに基づく特定演出音が非抑制態様で可聴出力される前記第１区間において発生するものであり、該第１区間よりも後の前記第２区間では、前記特別の受付演出が必ず発生するようになっており、
さらに、
前記受付演出が発生するよりも前に該受付演出が発生することを示唆する前兆演出が実行可能とされており、前記特別の受付演出が発生する場合と前記特定の受付演出が発生する場合とでは、前記前兆演出として異なる態様が実行可能とされており、
さらに、
前記特別の受付演出が発生する場合、遊技者による操作の対象を示唆する摸画像表示を表示可能な摸画像表示手段を備え、
前記特別の受付演出が発生する場合は、前記特定の受付演出が発生する場合には出現し得ない態様で前記摸画像表示が表示可能とされる
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
スピーカと、
前記スピーカが装着される特定部材と、
前記スピーカを制御するための制御基板とを備え、
前記制御基板は、前記特定部材に形成された開口部を閉塞可能に配置され、
前記開口部の周縁部と前記制御基板との隙間が所定の部材で密閉されている、
ことを特徴とする遊技機。
【手続補正２】
【補正対象書類名】明細書
【補正対象項目名】０００７
【補正方法】変更
【補正の内容】
【０００７】
（１）上記目的を達成するため、本願の請求項に係る遊技機は、遊技を行うことが可能な遊技機（例えばパチンコ遊技機１など）であって、スピーカ（例えばスピーカ本体８０Ｓなど）と、前記スピーカが装着される特定部材（例えばスピーカ８０Ｒの筐体６０など）と、前記スピーカを制御するための制御基板（例えば音声制御基板１３Ａなど）とを備え、前記制御基板は、前記特定部材に形成された開口部（例えば開口部６０Ｃ０など）を閉塞可能に配置され、前記開口部の周縁部と前記制御基板との隙間が所定の部材（例えば弾性部材７１など）で密閉されている。
このような構成によれば、不正行為を防止できる。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、  
遊技枠に設けられた軸に対して回転することで当該遊技枠から突出可能な可動体と、  
前記可動体に設けられた発光手段と、
前記可動体の回転角度を調整することで前記可動体の動作を制御可能な制御手段とを備え、
前記発光手段は、前記可動体がいずれの角度であっても同一の輝度で発光可能であることを特徴とする遊技機。
【手続補正２】
【補正対象書類名】明細書
【補正対象項目名】０００６
【補正方法】変更
【補正の内容】
【０００６】
（１）遊技を行なうことが可能な遊技機（パチンコ遊技機１等）であって、  
遊技枠に設けられた軸（軸２９０等）に対して回転することで当該遊技枠から突出可能な可動体（第１上部役物２９Ｌ，第２上部役物２９Ｒ等）と、  
前記可動体に設けられた発光手段と、
前記可動体の回転角度を調整することで前記可動体の動作を制御可能な制御手段（図１２のＳ７５２に示すように、設定された角度に応じて、第１上部役物２９Ｌ，第２上部役物２９Ｒの回転角度・回転速度を設定する等）とを備え、
前記発光手段は、前記可動体がいずれの角度であっても同一の輝度で発光可能である。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、  
遊技枠に動作可能に設けられた可動体と、  
前記可動体の動作を制御する制御手段と、  
前記可動体の動作を報知する報知演出を実行する報知演出手段とを備え、  
前記制御手段は、前記報知演出に関連して前記可動体を動作させる第１パターンと、前記報知演出に関連せずに前記可動体を動作させる第２パターンとにより前記可動体の動作を制御し、  
前記第１パターンは前記第２パターンで前記可動体が動作されるよりも前記有利状態に制御される割合が高いことを特徴とする遊技機。
【手続補正２】
【補正対象書類名】明細書
【補正対象項目名】０００６
【補正方法】変更
【補正の内容】
【０００６】
（１） 遊技者にとって有利な有利状態（大当り遊技状態等）に制御可能な遊技機（パチンコ遊技機１等）であって、  
遊技枠に動作可能に設けられた可動体（第１上部役物２９Ｌ，第２上部役物２９Ｒ等）と、  
前記可動体の動作を制御する制御手段と（演出制御用マイクロコンピュータ１００等）、  
前記可動体の動作を報知する報知演出（図１４に示す報知演出等）を実行する報知演出手段（演出表示装置９等）とを備え、  
前記制御手段は、前記報知演出に関連して前記可動体を動作させる第１パターン（動作＋報知の第１パターン等）と、前記報知演出に関連せずに前記可動体を動作させる第２パターン（動作のみの第２パターン等）とにより前記可動体の動作を制御し、  
前記第１パターンは前記第２パターンで前記可動体が動作されるよりも前記有利状態に制御される割合が高い（図１５に示すように、通常遊技中においては、第１パターンが実行されたときの方が第２パターンが実行されたときよりも大当り期待度が高い等）。
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
可撓性チューブと、
前記可撓性チューブに連通している開口部が形成され、前記可撓性チューブの遠位端に設けられている吸盤部と、
吸引路を有するジョイント部と、
前記可撓性チューブの近位端と前記ジョイント部の前記吸引路の遠位端とのうち、一方に設けられている雄コネクタと、他方に設けられていて前記雄コネクタに対して着脱可能に連結される雌コネクタと、
前記可撓性チューブの前記遠位端又は前記吸盤部に一端側が固定されている線状体と、を備え、
前記線状体の他端側に線状体側コネクタが設けられており、
前記線状体側コネクタは、前記雄コネクタと前記雌コネクタとのうち、前記可撓性チューブの近位端に設けられている方のコネクタである可撓性チューブ側コネクタに対して着脱可能に連結可能である冠状動脈バイパス術用処置具。
【請求項２】
前記線状体は、前記線状体側コネクタの軸周りの周面から導出されており、
前記線状体側コネクタは、
当該線状体側コネクタの一端側に配置されていて前記可撓性チューブ側コネクタと接続される連結部と、
当該線状体側コネクタの他端側に配置されている先細形状の突起部と、
を有する請求項１に記載の冠状動脈バイパス術用処置具。
【請求項３】
前記線状体側コネクタは、当該線状体側コネクタの一端側に配置されていて前記可撓性チューブ側コネクタと接続される連結部を有し、
前記線状体は、前記線状体側コネクタの他端側から導出されている請求項１に記載の冠状動脈バイパス術用処置具。
【請求項４】
前記線状体における前記線状体側コネクタの近傍の部分に、当該線状体における他部よりも補強された補強部が形成されている請求項３に記載の冠状動脈バイパス術用処置具。
【請求項５】
前記可撓性チューブ側コネクタは、前記雌コネクタであり、
前記線状体側コネクタは、前記雌コネクタと連結可能な第２雄コネクタであり、
前記線状体側コネクタは、本体部と、前記本体部から突出して形成されていて前記雌コネクタに挿入される突部である連結部と、を有する請求項１から４のいずれか一項に記載の冠状動脈バイパス術用処置具。
【請求項６】
前記雌コネクタは、一端に開口を有していて前記開口から前記連結部が挿入される中空の収容部を有し、
前記連結部の外周面と前記収容部の内周面とのうち、一方には係合凸部が形成され、他方には螺旋状の係合凹部が形成され、前記係合凸部と前記係合凹部とが螺合することにより前記線状体側コネクタと前記雌コネクタとが着脱可能に連結される請求項５に記載の冠状動脈バイパス術用処置具。
【請求項７】
前記連結部の外周面に前記係合凸部が形成され、前記収容部の内周面に前記係合凹部が形成されている請求項６に記載の冠状動脈バイパス術用処置具。
【請求項８】
前記収容部は、前記開口からの深さ方向に向かって当該収容部の内径が小さくなる雌ルアーであり、
前記収容部の外周面における前記一端の近傍に第２係合凸部が形成されており、
前記ジョイント部の前記吸引路の遠位端には前記雄コネクタが設けられ、
前記雄コネクタは、前記雌ルアーと嵌合する雄ルアーと、前記雄ルアーの周囲に設けられている筒部と、前記筒部の内周面に形成されていて前記収容部の前記第２係合凸部と螺合する螺合部と、を備える雄ルアーロック構造を有する請求項７に記載の冠状動脈バイパス術用処置具。
【請求項９】
可撓性チューブと、
前記可撓性チューブに連通している開口部が形成され、前記可撓性チューブの一端に設けられている吸盤部と、
前記可撓性チューブの前記一端又は前記吸盤部に一端側が固定された線状体と、
中空の収容部を有し前記可撓性チューブの他端に設けられた雌コネクタと、を備え、
前記収容部は、一端に開口を有しているとともに、前記開口からの深さ方向に向かって当該収容部の内径が小さくなる雌ルアーであり、
前記雌ルアーの内周面に螺旋溝が形成されており、
前記線状体の他端側に、前記雌コネクタに対して連結可能な線状体側コネクタが設けられており、
前記線状体側コネクタは、本体部と、前記本体部から突出して形成されていて前記収容部に挿入される突部である連結部と、を有し、
前記連結部の外周面に、前記螺旋溝と螺合する係合凸部が形成されている処置具用部品。
【手続補正２】
【補正対象書類名】明細書
【補正対象項目名】０００６
【補正方法】変更
【補正の内容】
【０００６】
本発明は、可撓性チューブと、
前記可撓性チューブに連通している開口部が形成され、前記可撓性チューブの遠位端に設けられている吸盤部と、
吸引路を有するジョイント部と、
前記可撓性チューブの近位端と前記ジョイント部の前記吸引路の遠位端とのうち、一方に設けられている雄コネクタと、他方に設けられていて前記雄コネクタに対して着脱可能に連結される雌コネクタと、
前記可撓性チューブの前記遠位端又は前記吸盤部に一端側が固定されている線状体と、を備え、
前記線状体の他端側に線状体側コネクタが設けられており、
前記線状体側コネクタは、前記雄コネクタと前記雌コネクタとのうち、前記可撓性チューブの近位端に設けられている方のコネクタである可撓性チューブ側コネクタに対して着脱可能に連結可能である冠状動脈バイパス術用処置具を提供するものである。
【手続補正３】
【補正対象書類名】明細書
【補正対象項目名】０００７
【補正方法】変更
【補正の内容】
【０００７】
本発明は、可撓性チューブと、
前記可撓性チューブに連通している開口部が形成され、前記可撓性チューブの一端に設けられている吸盤部と、
前記可撓性チューブの前記一端又は前記吸盤部に一端側が固定された線状体と、
中空の収容部を有し前記可撓性チューブの他端に設けられた雌コネクタと、を備え、
前記収容部は、一端に開口を有しているとともに、前記開口からの深さ方向に向かって当該収容部の内径が小さくなる雌ルアーであり、
前記雌ルアーの内周面に螺旋溝が形成されており、
前記線状体の他端側に、前記雌コネクタに対して連結可能な線状体側コネクタが設けられており、
前記線状体側コネクタは、本体部と、前記本体部から突出して形成されていて前記収容部に挿入される突部である連結部と、を有し、
前記連結部の外周面に、前記螺旋溝と螺合する係合凸部が形成されている処置具用部品を提供するものである。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
遊技が可能な遊技機であって、  
遊技者の動作を検出可能な検出手段と、  
前記検出手段に関する演出として少なくとも第１演出と第２演出とを実行可能な演出実行手段と、  
を備え、  
前記検出手段は、第１検出手段と、該第１検出手段とは異なる第２検出手段と、を含み、  
前記演出実行手段は、  
前記第１検出手段に関する演出として第１演出及び第２演出を実行可能であり、  
前記第２検出手段に関する演出として第１演出及び第２演出を実行可能であり、  
前記第１検出手段に関する第１演出は、前記第２検出手段に関する第１演出と異なる演出態様であり、  
前記第１検出手段に関する第２演出は、前記第２検出手段に関する第２演出と異なる演出態様である、
ことを特徴とする遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、  
遊技が可能な遊技機（例えば、パチンコ遊技機１）であって、  
遊技者の動作を検出可能な検出手段と、  
前記検出手段に関する演出として少なくとも第１演出（例えば、プッシュボタンの画像表示）と第２演出（例えば、プッシュボタンの操作を促すメッセージの表示）とを実行可能な演出実行手段と、  
を備え、  
前記検出手段は、第１検出手段（例えば、第１プッシュボタン３１Ｂ）と、該第１検出手段とは異なる第２検出手段（例えば、第２プッシュボタン３２）と、を含み、  
前記演出実行手段は、  
前記第１検出手段に関する演出として第１演出及び第２演出を実行可能であり（例えば、演出制御用ＣＰＵ１２０が第１プッシュボタン３１Ｂの画像表示と第１プッシュボタン３１Ｂの操作を促すメッセージの表示を実行する部分）、  
前記第２検出手段に関する演出として第１演出及び第２演出を実行可能であり（例えば、演出制御用ＣＰＵ１２０が第２プッシュボタン３２の画像表示と第２プッシュボタン３２の操作を促すメッセージの表示を実行する部分）、  
前記第１検出手段に関する第１演出は、前記第２検出手段に関する第１演出と異なる演出態様であり（例えば、第１プッシュボタン３１Ｂの画像表示を行う一方で第２プッシュボタン３２の画像表示を行わない部分）、  
前記第１検出手段に関する第２演出は、前記第２検出手段に関する第２演出と異なる演出態様である（例えば、第１プッシュボタン３１Ｂの操作を促すメッセージの表示を行う一方で第２プッシュボタン３２の操作を促すメッセージの表示を行わない部分）  
ことを特徴としている。  
この特徴によれば、演出効果を高めることができる。  
尚、第１検出手段に関する第１演出が第２検出手段に関する第１演出よりも演出強度が強いことや、第１検出手段に関する第２演出が第２検出手段に関する第２演出よりも演出強度が強いことには、第２検出手段に関する第１演出や第２検出手段に関する第２演出を実行しないことも含まれる。